(57)【要約】【課題】電動機の軸受部は、回転軸を支持しつつ、自身も回転するので、その回転に伴う発熱が生ずる。また、回転子、固定子等で発生する熱も伝導してくることによって、更に温度が上昇することもある。軸受部でグリース等の潤滑剤を有するものなどは、温度上昇によって、潤滑剤が変化すると不都合となることもあり、問題となる。【解決手段】負荷側のブラケットに設けた通気孔からファンによって、吸い込まれた空気、雰囲気が負荷側のブラケットに設けた冷却フィンを通る際に、冷却フィンを冷却することで、上記負荷側のブラケット、上記負荷側の軸受も冷却するようにする。【選択図】  図１
2007181311.tif 000002
【特許請求の範囲】
【請求項１】
電動機で駆動される負荷が接続される回転軸と、
上記回転軸を有する回転子と、
上記回転子を回転させる回転磁界を発生する固定子と、
上記回転軸を支持し、負荷側に設けられる負荷側軸受と、
上記回転軸を支持し、負荷側の反対に設けられる反負荷側軸受と、
上記負荷側軸受を支持する負荷側ブラケットと、
上記反負荷側軸受を支持する反負荷側ブラケットと、
上記固定子を支持し、また上記ブラケットが嵌合されるハウジングとを有する電動機において、
上記負荷側ブラケットに外部からの空気、雰囲気を通すことの出来る通気孔を設けたことを特徴とする電動機。
【請求項２】
請求項１記載の電動機であって、
上記通気孔を通った空気、雰囲気によって冷却される冷却フィンを上記負荷側ブラケットに設けることを特徴とする電動機。
【請求項３】
請求項１記載の電動機であって、
上記負荷側軸受と上記回転子、上記固定子との間に上記通気孔を通る空気、雰囲気の流れを起こさせるファンを上記回転軸に設けることを特徴とする電動機。
【請求項４】
請求項３記載の電動機であって、
上記ファンと上記負荷側軸受との間に遮蔽部材を設けることを特徴とする電動機。
【請求項５】
請求項３記載の電動機であって、
上記ファンと上記回転子、上記固定子との間に遮蔽部材を設けることを特徴とする電動機。
【発明の詳細な説明】
【技術分野】
【０００１】
本発明は、電動機を提供する技術に関する。
【背景技術】
【０００２】
特許文献１に、車両用の主電動機に係わり、回転子と排気側軸受部の冷却性向上を図る車両用主電動機についての開示がある。
【０００３】
【特許文献１】特開２００３−１３４７３６号公報
【発明の開示】
【発明が解決しようとする課題】
【０００４】
上記特許文献１に記載の電動機は、固定子、回転子等の電気部品に外気が直接触れる構造となっている。従って、外気によって、これらの電気部品や、軸受部を冷却することが可能である。
【０００５】
ところで、電動機は、様々な場所で使用されるものであり、固定子、回転子等の電気部品等に埃や、水分を含んだ空気や雰囲気等が触れると、必ずしも好ましくない場合がある。上記固定子、回転子等の電気部品等がこれらのものと触れないような構造のものが知られており、ここでは全閉型の電動機と呼ぶこととする。
【０００６】
この全閉型の電動機とは、一般的に、上記の埃や、水分を含んだ空気や雰囲気等が触れにくくするようなある程度の密閉性を有する収納部の内部に上記固定子、回転子等の電気部品などが収納されるようにされた電動機である。
【０００７】
しかしながら、この全閉型の電動機は、その構成上、固定子、回転子等の電気部品等の温度上昇については、全閉型でない電動機に比較すると留意する必要がある。
【０００８】
特に軸受部は、回転軸を支持しつつ、自身も回転するので、その回転に伴う発熱が生ずる。また、回転子、固定子等で発生する熱も伝導してくることによって、更に温度が上昇することもある。軸受部でグリース等の潤滑剤を有するものなどは、温度上昇によって、潤滑剤が変化すると不都合となることもあり、問題となる。
【０００９】
従って、本発明では、これらの軸受部の温度上昇に関する問題を課題とする。
【課題を解決するための手段】
【００１０】
上記課題を解決するために本発明においては、電動機が駆動する負荷が接続される負荷側の回転軸を支持する負荷側の軸受が設けられるブラケットに外部からの空気、雰囲気を通すことの出来る通気孔を設ける。また、上記負荷側のブラケットには、上記通気孔を通った空気、雰囲気によって冷却される冷却フィンを設けることとする。
【００１１】
また、上記負荷側の軸受と上記回転子、固定子等の電気部との間に上記通気孔を通る空気、雰囲気の流れを起こさせるファンを設けることとする。
【００１２】
また、上記ファンと上記負荷側軸受との間であって、上記負荷側の軸受に埃や、水分を含んだ空気や雰囲気等が触れにくくするように遮蔽する遮蔽部材を設けることとする。
【００１３】
また、上記ファンと上記回転子、固定子等の電気部品等との間であって、上記回転子、固定子等の電気部品等に埃や、水分を含んだ空気や雰囲気等が触れにくくするように遮蔽する遮蔽部材を設けることとする。
【００１４】
上記構成とすることで、上記負荷側のブラケットに設けた上記通気孔から上記ファンによって、吸い込まれた空気、雰囲気は上記冷却フィンを通る際に、冷却フィンを冷却することで、上記負荷側のブラケット、上記負荷側の軸受も冷却することを可能とするものである。
【００１５】
また、上記回転子、固定子等の電気部品等の方に遮蔽部材を設けたことで、上記回転子、固定子等の電気部品等から発する熱が上記負荷側軸受部に伝導することを低減可能とする。
【００１６】
また、上記負荷側の軸受の方に遮蔽部材を設けたことで、上記負荷側の軸受に熱が伝導することを低減可能とする。
【発明の効果】
【００１７】
本発明によれば、軸受部等の温度上昇が従来品よりも改善されたので、従来品よりも信頼性の向上した電動機の提供が可能となるものである。
【発明を実施するための最良の形態】
【００１８】
以下に、本発明の実施例を、図面を用いて説明する。
【００１９】
図１は、本発明の実施例を説明する説明図である。
【００２０】
図１において、回転電機の回転軸１０を有する回転子２０の外側には、回転子２０を回転させる回転磁界を発生する固定子３０があり、固定子３０は、ハウジング４０にて支持されている。
【００２１】
一方、回転軸１０は、負荷側の軸受け５０と、反負荷側の軸受け１２０にて回転自在に支持されている。また、軸受け５０、１２０は、エンドブラケット６０、１３０にて支持されている。なお、回転軸１０の反負荷側には、冷却ファン１４０が設けられ、回転電機を冷却する風を発生させており、冷却ファン１４０は、ファンカバー１５０にて覆われている。
【００２２】
上記図１において、本実施例では、負荷側ブラケット６０に外部からの空気、雰囲気を通すことの出来る通気孔７０を設けた。また、当該通気孔７０との間で、空気、雰囲気を通すことの出来る更なる通気孔８０をハウジング４０に設ける。
【００２３】
また、前記負荷側ブラケット６０の内側には、冷却フィン１６０を設ける。
【００２４】
前記通気孔７０、８０によって、外部からの空気、雰囲気が通り、前記冷却フィン１６０を冷却出来るので、前記負荷側ブラケット６０の温度上昇を従来品よりも低減可能となる。よって、負荷側ブラケット６０に設けられている負荷側軸受け５０の温度上昇を従来品よりも低減可能となる。
【００２５】
また、図１に示すように回転子２０と負荷側軸受け５０との間に、冷却ファン９０を設けることで、負荷側軸受け５０に向かう風の流れを起こさせ、負荷側軸受け５０、または、負荷側ブラケット６０などを冷却させる。
【００２６】
なお、上記冷却ファン９０と上記回転子２０、固定子３０等の電気部品等との間であって、上記回転子２０、固定子３０等の電気部品等に埃や、水分を含んだ空気や雰囲気等が触れにくくするように遮蔽する遮蔽部材１００を設けることとする。
【００２７】
また、上記回転子、固定子等の電気部品等の方に遮蔽部材を設けたことで、上記回転子、固定子等の電気部品等から発する熱が上記負荷側軸受部に伝導することを低減可能とする。
【００２８】
更に、図１に示すように、上記負荷側の軸受け５０の方に遮蔽部材１１０を設けたことで、上記負荷側の軸受け５０に熱が伝導することを低減可能とする。
【００２９】
また、上記実施例では、上記負荷側のブラケット６０に設けた上記通気孔７０にて、外部からの空気、雰囲気を上記負荷側のブラケット６０内部に通し、上記ハウジングに設けた通気孔８０から外部に吐出すようにして、上記軸受け５０等の冷却を行っている。
【００３０】
これに対して、上記負荷側のブラケット６０内部の空気、雰囲気を上記負荷側のブラケット６０に設けた通気孔７０から外部に吐き出すようにして、上記負荷側軸受５０を冷却するものであっても良いが、通常は、上記回転子２０、固定子３０等の電気部品等によって熱せられた空気、雰囲気が上記通気孔７０を通ることとなるので、必ずしも上記負荷側軸受け５０の冷却が効率よく出来ない場合もあり得る。
【００３１】
図２は、前記負荷側ブラケットの通気孔の実施例を説明する図である。
図２に示すように、通気孔７０を設けることで、負荷側ブラケット６０に外部からの空気、雰囲気を通すことの出来るようになる。
【００３２】
上記実施例によれば、軸受部の温度上昇が従来品よりも、低減されるので、潤滑剤などの変化、劣化等が緩和されるので、従来品よりも保守、メンテナンスする頻度が少なくすることを可能とするものである。
【００３３】
また、上記実施例では、全閉型の電動機を例にあげて説明したが、これに限定されるものではなく、全閉型でない電動機において、上記実施例を実施するものであっても良い。  
【図面の簡単な説明】
【００３４】
【図１】本発明の実施例を説明する図
【図２】負荷側ブラケットの通気孔の実施例を説明する図
【符号の説明】
【００３５】
１０：回転電機の回転軸
２０：回転子
３０：固定子
４０：ハウジング
５０：負荷側の軸受け
６０：負荷側エンドブラケット
７０：通気孔
８０：通気孔
９０：冷却ファン
１００：遮蔽部材
１１０：遮蔽部材
１２０：反負荷側の軸受け
１３０：反負荷側エンドブラケット
１４０：冷却ファン
１５０：冷却ファン
【図１】
2007181311.tif 000003
【図２】
2007181311.tif 000004